(57)【要約】      （修正有）【課題】建築物のコンクリート基礎とその下部の地中を緊結して地震や風水害に強い基礎強化用ネジリ形ストラップ金具。【解決手段】同じ基礎内の地面に水平に設置した他のネジリ形ストラップ金具１の寸切りボルト３と棒鋼鉄筋１０で連結緊縛して水平方向の外力に対する抗力を強化する。また、地中深く埋め込んだインパクトアンカーロッド７，インパクトアンカー抵抗板体８，インパクトアンカー安定板体９で構成するインパクトアンカ−とネジリ形ストラップ金具をネジリ部２の部分に形成した孔で六角ボルト６をもって連結し、垂直方向の外力に対して抗力を強固にする。この組工法が終了後コンクリ−トを充填して基礎が完成する。【選択図】図３
0003136259.tif 000002
【実用新案登録請求の範囲】
【請求項１】
本提案は中小建築物の基礎において、地盤面に垂直な方向の荷重に対して、コンクリート基礎Ａ内に設置する１、２、３、４、５で構成するネジリ形ストラップ金具を、地中深く打ち込み埋め込んだ７、８、９で構成するインパクトアンカーと六角ボルト６で連結し、また水平方向の力に対しては寸切ボルト３と丸鋼棒１０をワイヤーで緊縛し基礎を強化するための、ネジリ形ストラップ金具。
【請求項２】
一般構造用平鋼ＳＳ４００を材料とするネジリ形ストラップ金具本体１はネジリ部２で９０度のネジリ加工がされている。ネジリによって外力の力点の方向が変わり、屋根材料の折板構造と同様に一方向の外力荷重が低減し応力が強化する。また、ネジリによって基礎材料のコンクリートとネジリ部２との密着が強化するネジリ形ストラップ金具。
【考案の詳細な説明】
【技術分野】
【０００１】  本考案は中小建築物のコンクリート基礎と地中との連結を強化して、重力によって生じる垂直方向の力や地震力、風水圧力等による水平方向の荷重に対する応力を強化するための基礎強化用ネジリ形ストラップ金具である。
【背景技術】
【０００２】  木造、プレハブ、仮設等の住宅や事務所等中小規模の建築物の基礎はコンクリートの流し込み造成の場合、丸棒鋼補強材使用の有無にかかわらず、コンクリートと地中との緊結力は基礎の重さによる重力で地盤と接しているだけなので、必ずしも強固であるとは言えない。従って、垂直方向の外力や地震力、風水力等の水平方向の外力が加わった場合、基礎が地盤から遊離して破壊する問題点を有していた。
【考案が解決しようとする課題】
【０００３】  前述のとおり、建築物のコンクリート基礎と地盤との緊結力は強くない。つまり中小建築物のコンクリート基礎と地盤は接しているだけであるから、外力が加わった場合、基礎と地盤は遊離して破壊に至る。本案は木造、プレハブや仮設の住宅等、中小規模建築物の基礎と地盤を緊結するための方法と金具に関する提案である。
【課題を解決するための手段】
【０００４】  中小建築物のコンクリート基礎を地中と緊結するために、図３の７、８、９で構成するインパクトアンカーをエアーコンプレッサーで地中深く打ち込み、１、２、３、４、５で構成する本考案のネジリ形ストラップ金具をインパクトアンカーとボルト６で連結して基礎内に設置する。別途、基礎構成の丸棒鋼１０とネジリ形ストラップ金具の寸切ボルト３をワイヤーで緊縛し、コンクリート型枠板を嵌め込み、コンクリートを流し込んで基礎を造成する。地中に深く打ち込んだインパクトアンカーと基礎に丸棒鋼の支柱として設置したネジリ形ストラップ金具がコンクリート内で一体となり、基礎が垂直、水平方向とも強化固定される。
ネジリ形ストラップ金具のネジリ部２はスクリュー形になっているので、コンクリートとの密着力が極めて大である。
【考案の効果】
【０００５】  本考案は上述のとおり中小規模建築物の基礎強化用ネジリ形ストラップ金具に係わるものであるが、地下埋込みのインパクトアンカーと連結して使用するのでインパクトアンカーの引張強度に耐える応力が要求される。インパクトアンカーの許容荷重は９．８ＫＮから最大３９．２ＫＮの規格のものが用意されているので、ネジリ形ストラップ金具も随時所要の応力を持つものを対応できる。
【０００６】  標準としてインパクトアンカー２型の引張力１９．６ＫＮに対応するものをネジリ形ストラップ金具の基準とし、材料は一般構造用平鋼ＳＳ４００を使用する。丸棒鋼と接続する水平方向の応力は零であるから、以下、垂直方向の引張強度からネジリ形ストラップ金具の寸法を算出する。
【０００７】  ネジリ形ストラップ金具の本体１とナット４、５で保持する寸切ボルト３の寸法を求める。一般構造用平鋼ＳＳ４００のせん断力は規格で１３．５ＫＮ／ｃｍ２であるから、それ以下の許容せん断応力度が必要となる。１５０パーセントの余裕を持って算出すると、１３．０ＫＮ／ｃｍ２で規格内となり、寸切ボルト３は２本あるから、インパクトアンカーの引張力１９．６ＫＮを満足する寸切ボルト３は０．６２πつまり直径１２ｍｍとなる。
【０００８】  ネジリ形ストラップ金具本体１の巾寸法を求める。材料である一般構造用平鋼ＳＳ４００の許容引張応力度規格は２３．５ＫＮ／ｃｍ２。寸切ボルト３の直径は１２ｍｍであるから、ネジリ形ストラップ金具本体１に寸切ボルト３を取り付けるための穴径は１４ｍｍ、ネジリ形ストラップ金具本体１の厚さ３．２ｍｍ、巾５ｃｍを仮定すると８．５ＫＮ／ｃｍ２となり、十分の応力度である。
【０００９】  前述の計算からネジリ形ストラップ金具本体１の寸法は厚さ３．２ｍｍ、巾５ｃｍ、寸切ボルト１２ｍｍの取付穴径１４ｍｍで１９．６ＫＮ、つまりこの１台で約２０トンの引張力に耐えることができる。これを一建築物に数台使用することにより、強固で安全な基礎ができる。
【００１０】  ネジリ形ストラップ金具本体１を９０度ねじることにより、コンクリートとの密着力が大きくなる。ネジリの部分にはいり込むコンクリートで結合が強力になり、外力に対する応力も強くなる。
【実施例】
【００１１】  添付図面に従って、一実施例を説明する。図４においてＡ及びＢのコンクリート基礎に埋め込まれた１、２、３、４、５は本案申請のネジリ形ストラップ金具であって、エアーコンプレッサーで地中深く打ち込まれた７、８、９からなるインパクトアンカーとボルト６で連繋している。ネジリ形ストラップ金具の本体１の穴に通してナット４、５で固定された寸切ボルト３はコンクリート基礎の強化用として引張された丸棒鋼とワイヤーで緊縛し、ネジリ形スラップ金具を支柱として、垂直、水平の力に対して応力を強化する。以上の骨組み作業終了後、コンクリートを充填してコンクリートの固化で強力な基礎が完成する。緊急の仮設住宅、プレハブ住宅や小屋等の建築にはその効果は大きい。
【図面の簡単な説明】
【００１２】
【図１】本考案のネジリ形ストラップ金具の正面図である。
【図２】本考案のネジリ形ストラップ金具の側面図である。
【図３】地中埋込式インパクトアンカーとボルト６で連繋してコンクリート基礎内に設置した、本考案のネジリ形ストラップ金具の透視図である。
【図４】本考案のネジリ形ストラップ金具とインパクトアンカーで基礎と地中を緊結した状態を想定した納まり図である。
【符号の説明】
【００１３】Ａ    地盤面上のコンクリート基礎
Ｂ    地盤面下のコンクリート基礎
Ｃ    割栗石
Ｄ    コンクリート基礎上面
Ｅ    地盤面
Ｆ    コンクリート基礎底面
１    ネジリ形ストラップ金具本体
２    ネジリ部
３    寸切ボルト
４、５    六角ナット
６    六角ボルト
７    インパクトアンカーロッド
８    インパクトアンカー抵抗板体
９    インパクトアンカー安定板体
１０  鉄筋（棒鋼）
１１  ワイヤー繋結部
【図１】
0003136259.tif 000003
【図２】
0003136259.tif 000004
【図３】
0003136259.tif 000005
【図４】
0003136259.tif 000006
【手続補正書】
【提出日】平成18年9月25日(2006.9.25)
【手続補正１】
【補正対象書類名】実用新案登録請求の範囲
【補正対象項目名】全文
【補正方法】変更
【補正の内容】
【実用新案登録請求の範囲】
【請求項１】
本提案は中小建築物の基礎において、地中に深く打ち込んだ既製品のインパクトアンカーと連結して地盤に垂直方向及び水平方向にかかる大きな荷重に対して応力を強化するためのもので、特に金具本体の一部を９０度ねじって金具本体の強度を大きくするとともにコンクリート等基礎材との結着力も強化されるネジリ形建築基礎金具にかかわるものである。
【手続補正書】
【提出日】平成19年1月21日(2007.1.21)
【手続補正１】
【補正対象書類名】実用新案登録請求の範囲
【補正対象項目名】全文
【補正方法】変更
【補正の内容】
【実用新案登録請求の範囲】
【請求項１】
中小建築物のコンクリ−ト基礎に埋め込んで地震や風水力等によって地盤面に垂直及び水平方向に働く外力から基礎を守る為のストラップ金具であって，垂直方向の外力に対しては地中に埋め込んだ既製の電柱補強用インパクトアンカ−と連結して基礎応力を強化し、また水平方向の外力に対しては、ストラップ金具にとりつけた寸切ボルトと基礎内に別に設けたストラップ金具の寸切ボルトを丸棒鋼鉄筋で繋結し、基礎応力を強化する。更に本提案のストラップ金具本体を９０度捻った形状にする事でコンクリ−ト基礎との密着力の強化とストラップ本体の外力に対する応力を強化することを特徴とする中小建築物の基礎強化用ネジリ形ストラップ金具。
【手続補正２】
【補正対象書類名】明細書
【補正対象項目名】全文
【補正方法】変更
【補正の内容】
【考案の詳細な説明】
【技術分野】
【０００１】  本考案は中小建築物のコンクリ−ト基礎と地中との連結を強化して、重力によって生じる垂直方向の力や地震力、風水圧力等による水平方向の力に対する応力を強化するための基礎強化用ネジリ形ストラップ金具に関するものである。
【背景技術】
【０００２】  木造、プレハブ、仮設等の住宅や事務所等中小規模の建築物の基礎はコンクリ−トの流し込み造成の場合、丸棒鋼鉄筋使用の有無にかかわらず、コンクリ−トと地中との繋結力は基礎の重さによる重力で地盤と接しているだけなので、必ずしも強固であるとは言えない。従って、地震力，風水力等の垂直方向及び、水平方向の外力が加わった場合、基礎が地盤から遊離して破壊する問題点を有していた。
【考案が解決しようとする課題】
【０００３】  前述のとおり、中小建築物のコンクリ−ト基礎と地盤との繋結力は強くない。つまり中小建築物のコンクリ−ト基礎と地盤は接しているだけであるから、外力が加わった場合、基礎と地盤は遊離して破壊に至る。よって木造、プレハブや仮設の住宅等、中小規模建築物の基礎と地盤との繋結力を強化することは非常に重要である。
【課題を解決するための手段】
【０００４】  中小建築物のコンクリ−ト基礎に埋め込んだ本提案のネジリ形ストラップ金具をコンプレッサ−で地中に打ち込んだ既製の電柱補強用インパクトアンカ−と連結して地盤面に垂直方向の外力に対してコンクリ−ト基礎との繋結力を強化する。またコンクリ−ト基礎の地盤面に水平方向の外力に対してはネジリ形ストラップ金具にとりつけた寸切ボルトと同じ基礎内に配置した他のネジリ形ストラップ金具の寸切ボルトを丸棒鋼鉄筋で繋結してコンクリ−ト基礎の応力を強化する。さらにストラップ金具に捻りの形状加工をすることによりストラップ本体の応力も強くなり、流し込まれたコンクリ−トとの密着力も強化される。
【考案の効果】
【０００５】  本考案は前述のとおり中小規模建築物の基礎強化用ストラップ金具に係わるものであるが、地面に垂直の方向で基礎に働く外力に対しては既製の電柱補強用インパクトアンカ−と併用するとその応力は非常に強化されるので本提案のネジリ形ストラップを単体でコンクリ−ト基礎に埋め込むよりは外力に対する応力はより大きくなるので効果は大きい。またストラップ本体を９０度捻った形状にしていることで基礎のコンクリ−トとの結合力が大きく併せて他のストラップとの丸棒鋼鉄筋での繋結で地盤に水平方向の外力に対する応力の強化はさらに大きい。
【考案を実施するための最良の形態】
【０００６】  一般に中小建築物の基礎の強度は垂直方向に２０トンの引張力があれば十分であるので、一台でその強度を満足する本提案のストラップを適数設置することにより基礎の安全性は向上する。ストラップの材料は一般構造用平鋼ＳＳ４００を使用する。ストラップ同志を丸棒鋼鉄筋で繋結する水平方向の応力は零であるから垂直方向の引張強度からストラップの適正な寸法を算出する。まずストラップ同志を丸棒鋼鉄筋で繋結するためのストラップに固定する寸切ボルトの寸法を求める。ストラップの材料である一般構造用平鋼ＳＳ４００のせん断力は規格で１３．５ＫＮ／ｃｍ２であるから、それ以下の許容せん断応力度が必要である。１５０パ−セントの余裕をもって算出すると、１３．０ＫＮ／ｃｍ２で規格内となり、ストラップに固定する寸切ボルトは２本とすると、２０トンに近いインパクトアンカ−の引張力は１９．６ＫＮがあるのでそれを満足する寸切ボルトの直径は０．６２πつまり１２ｍｍとなる。【０００７】  ストラップ本体の巾寸法を求める。材料の一般構造用平鋼ＳＳ４００の許容引張応力度規格は２３．５ＫＮ／ｃｍ２寸切ボルトの直径は１２ｍｍであるからストラップ本体に寸切ボルトを取り付けるための穴径は１４ｍｍ、ストラップ本体の厚さ３．２ｍｍ巾５ｃｍを仮定すると８．５ＫＮ／ｃｍ２となり、十分の応力度となる。【０００８】  前項までの計算から本提案のネジリ形ストラップ本体の寸法は厚さ３．２ｍｍ巾５ｃｍ，１２ｍｍの寸切ボルトを取り付ける穴径は１４ｍｍで１９．６ＫＮつまりこの１台で約２０トンの引張力に耐えることができる。これを中小建築物のコンクリ−ト基礎に適数設置することにより、強固で安全な基礎を造ることができる。【０００９】  コンクリ−トとの密着力の強化と併せてストラップ本体の外力に対する応力を強化するためにストラップ本体に捻りの形状加工をする。捻りの回転角度は９０度とする。
【実施例】
【００１０】  添付図面に従って、一実施例を説明する。図３及び図４においてＡ及びＢのコンクリ−ト基礎に埋め込まれた１，２，３、４，５は本案申請のネジリ形ストラップ金具であって、エア−コンプレッサ−で地中深く打ち込まれた７，８，９からなるインパクトアンカ−とボルト６で連繋している。ネジリ形ストラップ金具の本体１の穴に通してナット４，５で固定された寸切ボルト３はコンクリ−ト基礎の強化用として引張された丸棒鋼鉄筋とワイヤ−で緊縛し、ネジリ形ストラップ金具を支柱として、垂直、水平の力に対して応力を強化する。以上の骨組み作業終了後、コンクリ−トを充填してコンクリ−トの固化で強力な基礎が完成する。緊急を要する仮設住宅や小屋等の建築にはその効果は大きい。
【図面の簡単な説明】
【００１１】
【図１】本考案のネジリ形ストラップ金具の正面図である。
【図２】本考案のネジリ形ストラップ金具の側面図である。
【図３】地中埋込式インパクトアンカ−とボルト６で連繋してコンクリ−ト基礎内に設置した、本考案のネジリ形ストラップ金具の透視図である。
【図４】本考案のネジリ形ストラップ金具とインパクトアンカ−で基礎と地中を繋結した状態を想定した納まり図である。
【符号の説明】
【００１２】  Ａ  地盤面上のコンクリ−ト基礎  Ｂ  地盤面下のコンクリ−ト基礎  Ｃ  割栗石  Ｄ  コンクリ−ト基礎上面  Ｅ  地盤面  Ｆ  コンクリ−ト基礎底面  １  ネジリ形ストラップ金具本体  ２  ネジリ部  ３  寸切ボルト  ４，５  六角ナット  ６  六角ボルト  ７  インパクトアンカ−ロッド  ８  インパクトアンカ−抵抗板体  ９  インパクトアンカ−安定板体１０  鉄筋（棒鋼）１１  ワイヤ−繋結部
【手続補正書】
【提出日】平成19年5月26日(2007.5.26)
【手続補正１】
【補正対象書類名】実用新案登録請求の範囲
【補正対象項目名】全文
【補正方法】変更
【補正の内容】
【実用新案登録請求の範囲】
【請求項１】
寸切ボルトを装着した第１の部分と、インパクトアンカ−を連結するための孔が形成された第２の部分からなり、金具本体を９０度捻った形状の中小建築物基礎強化用ネジリ形ストラップ金具。
【手続補正２】
【補正対象書類名】明細書
【補正対象項目名】全文
【補正方法】変更
【補正の内容】
【考案の詳細な説明】
【技術分野】
【０００１】  本考案は中小建築物の基礎に垂直、水平方向に働く力から基礎を守るために基礎に設置して抗力を強化する基礎強化用ネジリ形ストラップ金具に関するものである。
【背景技術】
【０００２】  木造、プレハブ、仮設等の住宅や事務所等中小規模の建築物の基礎はコンクリ−トの流し込み造成の場合、棒鋼鉄筋使用の有無にかかわらず、コンクリ−トと地中との繋結力は基礎の重さによる重力で地盤と接しているだけなので、必ずしも強固であるとは言えない。従って、地震力、風水力等の垂直方向及び水平方向の外力が加わった場合、基礎が地盤から遊離して破壊する問題点を有していた。
【考案が解決しようとする課題】
【０００３】  前述のとおり、中小建築物のコンクリ−ト基礎と地盤との繋結力は強くない。つまり中小建築物のコンクリ−ト基礎と地盤は接しているだけであるから、外力が加わった場合、基礎と地盤は遊離して破壊に至る。よって木造、プレハブや仮設の住宅等、中小規模建築物の基礎と地盤との繋結力を強化することは非常に重要である。
【課題を解決するための手段】
【０００４】  中小建築物の基礎に垂直方向に働く外力に対しては地中深く埋め込んだ電柱等建築物の補強用インパクトアンカ−と基礎内においた本考案のネジリ形ストラップ金具を連結して外力に対応する。また水平方向に働く外力に対しては本考案のネジリ形ストラップ金具に装着された寸切りボルトと、同じ基礎内の他の本考案のネジリ形ストラップ金具の寸切ボルトを棒鋼鉄筋で繋結した組合せ構造にコンクリ−トを流し込み強固な基礎を造成する。
【考案の効果】
【０００５】  本考案は前述のとおり中小建築物の基礎強化のための金具に関するものであるが、１般に中小建築物の基礎の強度は地面に垂直方向に２０トンの引帳力があれば十分であるので垂直方向には本考案のストラップ金具に地中深く打ち込んだインパクトアンカ−を連結して基礎の引張力を強化し、また地面に水平方向は本考案のストラップ金具の寸切りボルトを同じ基礎内においた他のストラップ金具の寸切りボルトと棒鋼鉄筋で相互に繋結することで基礎全体の引張力が極めて大きくなり安全性が向上する。
【考案を実施するための最良の形態】
【０００６】  本考案のネジリ形ストラップ金具の寸法は中小建築物の基礎にかかる外力の大きさや、本、金具の材質等から算出する。金具材料ＳＳ４００のせん断力１３．５ＫＮ／ｃｍ２で求めた場合、本、金具本体の第１部分の寸切りボルトの装着孔径及び第２部分のインパクトアンカ−連結用の孔径は余裕率１５０％として１３．０ＫＮ／ｃｍ２で規格内となりインパクトアンカ−の引帳力は１９．６ＫＮであるから寸切りボルトの直径は１２ｍｍ、従って寸切りボルト装着孔直径は１４ｍｍとなる。ストラップ金具本体の巾寸法は、本、金具の材料であるＳＳ４００の許容引張応力度規格２３．５ＫＮ／ｃｍ２、寸切りボルト取り付け孔の直径は１４ｍｍ、ストラップ金具本体の厚さ３．２ｍｍ巾５０ｍｍと仮定すると８．５ＫＮ／ｃｍ２となり、応力度は十分である。よって厚さ３．２ｍｍ巾５０ｍｍ穴径は１４ｍｍで１９．６ＫＮつまり本、金具１個で２０トンの引帳力に耐えることができる。さらに本，金具本体を９０度捻りの形状加工をすることで基礎のコンクリ−トの密着力は極めて大きくなる。
【実施例】
【０００７】  添付図面に従って１実施例を説明する。図１は本考案のネジリ形ストラップ金具の正面図である。１と２は一体の本提案ネジリ形ストラップ金具であって、１３の部分で９０度の捻れを形成している。１の部分には寸切りナット３が４，５のナットで装着されている。図３はコンクリ−ト基礎内に設置した本考案ストラップ金具の透視図であるが、同じ基礎内の地面に水平に設置した他のネジリ形ストラップ金具の寸切りボルトと棒鋼鉄筋で連結緊縛して水平方向の外力に対する抗力を強化する。また地中深く埋め込んだ７，８，９で構成するインパクトアンカ−と本考案ネジリ形ストラップ金具を２の部分に形成した孔でボルト６をもって連結し、垂直方向の外力に対して抗力を強固にする。この組工法が終了後コンクリ−トを充填して基礎が完成する。
【図面の簡単な説明】
【０００８】
【図１】本考案のネジリ形ストラップ金具の正面図である。
【図２】本考案のネジリ形ストラップ金具の側面図である。
【図３】地中埋込式インパクトアンカ−とボルト６で連結してコンクリ−ト基礎内に設置した、本考案のネジリ形ストラップ金具の透視図である。
【図４】本考案のネジリ形ストラップ金具の寸切りボルトと棒鋼鉄筋を緊縛し、インパクトアンカ−と連結した基礎内の状態を想定した納まり図である。
【符号の説明】
【０００９】  Ａ  地盤面上のコンクリ−ト基礎
Ｂ  地盤面下のコンクリ−ト基礎
Ｃ  割栗石
Ｄ  コンクリ−ト基礎上面
Ｅ  地盤面
Ｆ  コンクリ−ト基礎底面
１  ネジリ形ストラップ金具本体
２  ネジリ部
３  寸切ボルト
４，５  六角ナット
６  六角ボルト
７  インパクトアンカ−ロッド
８  インパクトアンカ−抵抗板体
９  インパクトアンカ−安定板体
１０  棒鋼鉄筋
１１  ワイヤ−繋結部
１２  ９０度の捻れ部
【手続補正３】
【補正対象書類名】図面
【補正対象項目名】全図
【補正方法】変更
【補正の内容】
【図１】
0003136259.tif 000007
【図２】
0003136259.tif 000008
【図３】
0003136259.tif 000009
【図４】
0003136259.tif 000010